【手続補正書】
【提出日】平成25年7月25日(2013.7.25)
【手続補正１】
【補正対象書類名】明細書
【補正対象項目名】発明の名称
【補正方法】変更
【補正の内容】
【発明の名称】少なくとも１つの外部機能手段を装置に接続するための接続デバイス、および、かかる接続デバイスを含む装置
【手続補正２】
【補正対象書類名】明細書
【補正対象項目名】０００１
【補正方法】変更
【補正の内容】
【０００１】
本発明は、少なくとも１つの外部機能手段を、該外部機能手段を押圧することによってある装置に接続するための請求項１の前文に係る接続デバイスに関する。また、本発明は、本発明に係る接続デバイスを含む請求項１６に係る装置に関する。
【手続補正３】
【補正対象書類名】明細書
【補正対象項目名】０００４
【補正方法】変更
【補正の内容】
【０００４】
本発明の目的は、少なくとも１つの機能手段を装置に接続するための更なる接続デバイスを提供することである。また、本発明の目的は、そのような接続デバイスを備える装置を規定することである。
【手続補正４】
【補正対象書類名】明細書
【補正対象項目名】００８０
【補正方法】削除
【補正の内容】
【手続補正５】
【補正対象書類名】明細書
【補正対象項目名】００８１
【補正方法】削除
【補正の内容】
【手続補正６】
【補正対象書類名】明細書
【補正対象項目名】００８２
【補正方法】変更
【補正の内容】
【００８２】
上記の本発明による接続デバイスの使用に関連する本発明の方法の好ましい実施形態では、外部機能手段を接続するために、少なくとも第１の接触部が第１の位置から力変化位置を通過することにより第２の位置へ移動され、力変化位置に達する前に押圧手段を用いて第１の力Ｆ１が加えられおよび／または伝えられ、力変化位置に達した後または力変化位置から離れた後に第２の力Ｆ２が加えられおよび／または伝えられる。
【手続補正７】
【補正対象書類名】明細書
【補正対象項目名】００９２
【補正方法】変更
【補正の内容】
【００９２】
本発明の目的は、請求項１６に係る装置によって同様に達成される。
【手続補正８】
【補正対象書類名】明細書
【補正対象項目名】０１１７
【補正方法】変更
【補正の内容】
【０１１７】
以下、本発明の想定し得る実施形態について説明する。本発明の接続デバイスの典型的な第１の実現可能形態または実施形態の図１〜図４に示される４つの位置、接続デバイスの構造的形態、および、参照符号の添付のリストを参照する。
【手続補正９】
【補正対象書類名】明細書
【補正対象項目名】０１９３
【補正方法】変更
【補正の内容】
【０１９３】
以下、図１〜図４で説明した本発明の接続デバイスの４つの重要な位置を参照することにより、本発明の第２の実施形態について説明する。
【手続補正１０】
【補正対象書類名】明細書
【補正対象項目名】０２１７
【補正方法】変更
【補正の内容】
【０２１７】
本発明はここで説明した実施形態に限定されず、これらの実施形態は単なる例示にすぎない。
［符号の説明］
１…外部機能手段
２…装置の側の結合相手（センサ）
３…内側キャリア
４…接続キャリア
５…外側キャリア
６…開放アクタサブアセンブリ（シリンダ）
７…開放アクタサブアセンブリ（ローラベローズ）
８…開放アクタサブアセンブリ（ピストン）
９…開放アクタサブアセンブリ（加圧空気ポート）
１０…中心キャリア
１０１…中心キャリアの底部
１１２…中心キャリアの部分
１１…押えプレート
１１１…押えプレートの接触部（第１の接触部）
１２…変位スプリング
１２１…スプリングダボにおける変位スプリングのストッパ
１３…押圧スプリング
１４…スプリングダボ
１５…取付け隙間
１５１…受容手段
１６…取付方向
１７…下側ダボストッパ
１８…開放ストッパ
１９…上側ダボストッパ
２０…結合ストッパ
２１…ワークスペース
１００…接続デバイス
２００…装置
２０３…制御手段
２０５…制御ライン
２３…閉塞位置
２５…力変化位置
２７…ワーク位置
２９…セットアップ位置
３０ａ…力漸進的変化を示す実線
３０ｂ…開放中の力漸進的変化を示す破線
３０ｃ…閉塞中の力漸進的変化を示す一点鎖線
３１…第２の力Ｆ２の力範囲
３３…第１の勾配
３５…全体的変形の部分
３７…第１の力Ｆ１の力範囲
３９…第２の勾配
４１…第１の不連続部
４３…第２の不連続部
Ａ…結合面
【手続補正１１】
【補正対象書類名】特許請求の範囲
【補正対象項目名】全文
【補正方法】変更
【補正の内容】
【特許請求の範囲】
【請求項１】
少なくとも１つの外部機能手段（１）を、該外部機能手段（１）を押圧することによって、所定の装置（２００）に接続するための、特に結合するための接続デバイス（１００）であって、
少なくとも１つの第１の接触部（１１１）を有し、前記第１の接触部（１１１）と少なくとも１つの更なる接触部（Ａ、２０１）との間に前記外部機能手段（１）を受けるための少なくとも１つの受容手段（１５１）であり、前記第１の接触部（１１１）が前記更なる接触部（Ａ、２０１）から可変間隔ｄを隔てて配置される、受容手段（１５１）と、
前記可変間隔ｄを減じて、少なくとも前記第１の接触部（１１１）を、前記第１の接触部（１１１）と前記更なる接触部（Ａ、２０１）との間に第１の間隔（ｄ１）が存在する接続デバイス（１００）の第１の位置、特にセットアップ位置から、前記第１の接触部（１１１）と前記更なる接触部（Ａ、２０１）との間に第２の間隔（ｄ２）が存在する第２の位置に移動させることにより、前記第１の接触部（１１１）と前記更なる接触部（Ａ、２０１）との間で前記外部機能手段（１）を押圧するための少なくとも１つの押圧手段であり、前記第２の間隔（ｄ２）が前記第１の間隔（ｄ１）よりも小さい、少なくとも１つの押圧手段と、
を備える接続デバイス（１００）において、
前記押圧手段が、第１の力（Ｆ１）および第２の力（Ｆ２）を加えることによって少なくとも前記第１の接触部（１１１）を前記第１の位置から前記第２の位置へ移動させるように構成され、前記第１の力（Ｆ１）および前記第２の力（Ｆ２）が異なる大きさを有することを特徴とする、接続デバイス（１００）。
【請求項２】
前記押圧手段が、前記間隔ｄに応じて前記第１の力（Ｆ１）および／または前記第２の力（Ｆ２）により少なくとも前記第１の接触部（１１１）を前記第１の位置から前記第２の位置へ移動させるように構成される、請求項１に記載の接続デバイス（１００）。
【請求項３】
前記押圧手段が、少なくとも前記第１の接触部（１１１）を前記第１の位置から前記第２の位置へ移動させるために少なくとも２つのエネルギ蓄積手段および／または力伝達手段を備える、請求項１または２に記載の接続デバイス（１００）。
【請求項４】
第１のエネルギ蓄積手段および／または力伝達手段が前記第１の力（Ｆ１）を加えるように構成され、第２のエネルギ蓄積手段および／または力伝達手段が前記第２の力（Ｆ２）を加えるように構成される、請求項１〜３のいずれか一項に記載の接続デバイス（１００）。
【請求項５】
前記第１エネルギ蓄積手段および／または力伝達手段ならびに前記第２のエネルギ蓄積手段および／または力伝達手段が、前記第１のエネルギ蓄積手段および／または力伝達手段（１３）が前記第１の位置から力変化位置への移行中に前記第１の力（Ｆ１）を及ぼし且つ前記第２のエネルギ蓄積手段および／または力伝達手段が前記力変化位置から前記第２の位置への移行中に前記第２の力（Ｆ２）を及ぼすように配置される、請求項１〜４のいずれか一項に記載の接続デバイス（１００）。
【請求項６】
前記第１エネルギ蓄積手段および／または力伝達手段ならびに前記第２のエネルギ蓄積手段および／または力伝達手段が、前記第１のエネルギ蓄積手段および／または力伝達手段が前記第２のエネルギ蓄積手段および／または力伝達手段と共に前記第１の位置から力変化位置への移行中に前記第１の力（Ｆ１）を及ぼし且つ前記第２のエネルギ蓄積手段および／または力伝達手段が前記力変化位置から前記第２の位置への移行中に前記第２の力（Ｆ２）を及ぼすように配置される、請求項１〜４のいずれか一項に記載の接続デバイス（１００）。
【請求項７】
前記第２の力（Ｆ２）が前記第１の力（Ｆ１）よりも大きい、請求項１〜６のいずれか一項に記載の接続デバイス（１００）。
【請求項８】
前記エネルギ蓄積手段および／または力伝達手段が応力・歪み要素である、請求項１〜７のいずれか一項に記載の接続デバイス（１００）。
【請求項９】
前記応力・歪み要素がスプリング（１２、１３）である、請求項８に記載の接続デバイス（１００）。
【請求項１０】
少なくとも１つの前記外部機能手段（１）が、前記外部機能手段（１）を前記装置（２００）の側で結合相手（２）に機能的に結合するために、摩擦および／または形状閉塞接続によって前記装置（２００）に結合されるようになっている、請求項１〜９のいずれか一項に記載の接続デバイス（１００）。
【請求項１１】
前記装置（２００）に一体固定されるようになっている少なくとも１つのキャリア部材（３、５）および／または支持部材（４、１７、１８、１９、２０）を備える、請求項１〜１０のいずれか一項に記載の接続デバイス（１００）。
【請求項１２】
少なくとも１つの前記更なる接触部（Ａ、２０１）が、前記装置（２００）に一体固定されるようになっており、または、少なくとも１つの前記更なる接触部（Ａ、２０１）が、前記装置の一部である、請求項１１に記載の接続デバイス（１００）。
【請求項１３】
前記第２の位置は、前記外部機能手段（１）が前記装置（２００）で押圧されるワーク位置である、請求項１〜１２のいずれか一項に記載の接続デバイス（１００）。
【請求項１４】
前記第２の位置は、前記第１の接触部（１１１）がシールを行なう閉塞位置である、請求項１〜１２のいずれか一項に記載の接続デバイス（１００）。
【請求項１５】
少なくとも前記第１の接触部（１１１）を前記第２の位置から前記第１の位置へ移動させるための空気圧作用するあるいは空気圧で動作可能な開放アクタサブアセンブリ（６〜９）を備える、請求項１〜１４のいずれか一項に記載の接続デバイス（１００）。
【請求項１６】
血液処理機器であり、請求項１〜１５のいずれか一項に記載の少なくとも１つの接続デバイス（１００）を備える装置（２００）。
【請求項１７】
接続デバイス（１００）の空気圧作用するあるいは空気圧で動作可能な開放アクタサブアセンブリ（６〜９）を制御するあるいは調整するように適合されて構成される制御手段または調整手段（２０３）を更に備える、請求項１６に記載の装置（２００）。